(57)【要約】【課題】タッチパネルに付着した水等による接触操作の誤検出を防止する技術を提供する。【解決手段】電子機器は、タッチパネルの表面の所定規則で並ぶ撥水性が異なる２つの領域の内の、撥水性の低い領域および撥水性の低い領域との境界を含む撥水性の高い領域に存在する電極群から検出値を取得する取得部と、電極群から取得した検出値の分布状態と撥水性の低い領域との関係に基づいてタッチパネルの表面に対する接触操作の有効または無効を判定する処理部と、を備える。【選択図】図８
2017021516.tif 000002
【特許請求の範囲】
【請求項１】
タッチパネルの表面の所定規則で並ぶ撥水性が異なる２つの領域の内の、撥水性の低い領域および前記撥水性の低い領域との境界を含む撥水性の高い領域に存在する電極群から検出値を取得する取得部と、
前記電極群から取得した検出値の分布状態と前記撥水性の低い領域との関係に基づいて前記タッチパネルの表面に対する接触操作の有効または無効を判定する処理部と、
を備える電子機器。
【請求項２】
前記処理部は、前記電極群から取得した検出値の分布状態が所定条件を満たす場合には、前記タッチパネルの前記撥水性の低い領域を含む所定範囲を無効範囲に設定するとともに、前記無効範囲に設定された電極群を除く他の電極群の検出値から得られる物体の接触位置を上位プログラムに通知する、請求項１に記載の電子機器。
【請求項３】
前記所定範囲は、前記撥水性の低い領域および前記撥水性の低い領域との境界近傍の前記撥水性の高い領域に存在する電極群の配置位置である、請求項２に記載の電子機器。
【請求項４】
前記所定条件は、前記電極群から取得した検出値の分布状態と前記撥水性の低い領域への水滴付着の際に前記電極群から検出される検出値の基準分布データとの合致の度合いが所定閾値以上である、請求項２または３に記載の電子機器。
【請求項５】
前記撥水性の低い領域は前記タッチパネルの表面に均等サイズで複数に設けられ、該複数に設けられた前記撥水性の低い領域は千鳥配置される、請求項１から請求項４の何れか一項に記載の電子機器。
【請求項６】
前記撥水性の低い領域は円形状の外縁を有する、請求項１から請求項５の何れか一項に記載の電子機器。
【請求項７】
前記タッチパネルは静電容量方式のセンサを有する、請求項１から請求項６の何れか一項に記載の電子機器。
【請求項８】
タッチパネルを備えるコンピュータに、
前記タッチパネルの表面の所定規則で並ぶ撥水性が異なる２つの領域の内の、撥水性の低い領域および前記撥水性の低い領域との境界を含む撥水性の高い領域に存在する電極群から検出値を取得する取得ステップと、
前記電極群から取得した検出値の分布状態と前記撥水性の低い領域との関係に基づいて前記タッチパネルの表面に対する接触操作の有効または無効を判定する処理ステップと、
を実行させるための接触座標処理プログラム。
【発明の詳細な説明】
【技術分野】
【０００１】
本発明は、電子機器、及び、接触座標処理プログラムに関する。
【背景技術】
【０００２】
近年、入力デバイスにタッチパネルを備える情報処理装置（以下、電子機器とも称す）が普及してきている。タッチパネルは、例えば、ＬＣＤ（Liquid Crystal Display）等の表示デバイスに、ユーザ操作による接触位置の座標を検出するデバイスを重畳させて組合せた入力デバイスである。タッチパネルを備える情報処理装置として、例えば、ＰＣ（Personal Computer）、携帯電話、スマートフォン、ノートＰＣ、タブレットＰＣ、ＰＤＡ
（Personal Data Assistance）、ゲーム機、ナビゲーション装置等が例示できる。
【０００３】
また、タッチパネルを備える携帯可能な携帯電話、スマートフォン、タブレットＰＣ等の情報処理装置では、防水機能を有するものが普及してきている。防水機能を有する情報処理装置では、例えば、防水機能の保証する範囲内において、降雨下や浴室、プール等での使用が可能となる。
【０００４】
なお、本明細書で説明する技術に関連する技術が記載されている先行技術文献としては、以下の特許文献が存在している。
【先行技術文献】
【特許文献】
【０００５】
【特許文献１】特開２０１２−８８８９９号公報
【発明の概要】
【発明が解決しようとする課題】
【０００６】
防水機能を備える情報処理装置では、タッチパネル等の入力デバイスに水滴等が付着した状態であっても操作入力を適宜に検出し、該操作入力に対応した各種処理機能が提供されることが望ましい。
【０００７】
しかし、接触位置の座標を検出するデバイスとして、静電容量方式の一つである相互容量方式のタッチセンサを備える場合には、水滴等が付着したタッチパネルの領域を操作指等の接触位置として誤検出する場合があった。
【０００８】
例えば、タッチパネルに付着した水滴は、誘電体として機能する。このため、静電容量方式のタッチセンサでは、接触を検出するための電界が水滴付着領域に集中することで、該水滴の縁辺となるタッチセンサの境界領域に対して接触操作が行われた状態と同様の電界変化が発生する。静電容量方式のタッチセンサでは、水滴が付着した領域の縁辺となる境界領域で発生した電界変化を操作指等による接触状態と誤検出する場合があり得る。
【０００９】
１つの側面では、本発明は、タッチパネルに付着した水等による接触操作の誤検出を防止する技術の提供を目的とする。
【課題を解決するための手段】
【００１０】
上記技術は、次の電子機器の構成によって例示できる。すなわち、電子機器は、タッチパネルの表面の所定規則で並ぶ撥水性が異なる２つの領域の内の、撥水性の低い領域および撥水性の低い領域との境界を含む撥水性の高い領域に存在する電極群から検出値を取得する取得部と、電極群から取得した検出値の分布状態と撥水性の低い領域との関係に基づ
いてタッチパネルの表面に対する接触操作の有効または無効を判定する処理部と、を備える。
【発明の効果】
【００１１】
上記の電子機器によれば、タッチパネルに付着した水等による接触操作の誤検出を防止することができる。
【図面の簡単な説明】
【００１２】
【図１】本実施形態の電子機器のハードウェア構成例を示す図である。
【図２】相互容量方式のタッチセンサを説明する図である。
【図３Ａ】相互容量方式のタッチセンサに操作指を接触させた状態を説明する図である。
【図３Ｂ】相互容量方式のタッチセンサに水滴を付着させた状態を説明する図である。
【図３Ｃ】不定形の外形形状の水等が付着した状態を説明する図である。
【図４】本実施形態の親水領域パターン例を示す図である。
【図５Ａ】親水領域パターンによる付着水滴等の分散を説明する図である。
【図５Ｂ】親水領域パターンによる水滴付着状態を説明する図である。
【図６Ａ】単位当たりの親水領域を内包する範囲領域の電極群を説明する説明図である。
【図６Ｂ】座標管理ＤＢに登録される親水領域と電極座標との対応テーブル例を示す図である。
【図７Ａ】親水領域に水滴等を付着させた状態の検出信号例を示す図である。
【図７Ｂ】基準分布ＤＢに登録される基準データ例を示す図である。
【図８】本実施形態の水滴付着状態判定処理を例示するフローチャートである。
【図９】水平状態のタッチパネルに付着した水滴等の、傾きによる形状変化の遷移を説明する図である。
【発明を実施するための形態】
【００１３】
以下、図面を参照して、一実施形態に係る電子機器について説明する。以下の実施形態の構成は例示であり、電子機器は実施形態の構成には限定されない。以下、図１から図９の図面に基づいて、電子機器を説明する。
【００１４】
＜実施形態＞
図１に、本実施形態の情報処理装置（以下、電子機器とも称す）のハードウェアの構成を例示する。本実施形態の情報処理装置１０は、例えば、ＬＣＤ（Liquid Crystal Display）等の表示デバイスに、ユーザ操作による接触位置の座標を検出するデバイスを組合せたタッチパネル等の入力デバイスを備える情報処理装置である。
【００１５】
情報処理装置１０には、例えば、ＰＣ（ＰＣ：Personal Computer）、携帯電話機、ス
マートフォン、ノートＰＣ、タブレットＰＣ、ＰＤＡ（Personal Data Assistance）、ゲーム機、ナビゲーション装置等の情報処理装置が含まれる。
【００１６】
また、情報処理装置１０は、例えば、加速度センサ１４ｂといった、情報処理装置１０の上下左右前後方向への傾きを検出するセンサを備える。なお、情報処理装置１０の上下左右前後方向への傾きを検出するセンサは、加速度センサ１４ｂに限定されない。例えば、情報処理装置１０の重力方向を検出する重力センサ、情報処理装置１０の上下左右前後方向の回転を検出するジャイロセンサ等であってもよい。
【００１７】
図１に例示の情報処理装置１０は、出力部１５にＬＣＤ１５ａ等の表示デバイスを備え
る。また、情報処理装置１０は、入力部１４にタッチセンサ１４ａ等の、表示デバイス面に対する接触位置の座標を検出するデバイスを備える。タッチセンサ１４ａは、例えば、ＬＣＤ１５ａ等の表示デバイスと重畳させて組合せることで、表示デバイス面への操作者（以下、ユーザとも称す）のタッチ操作による接触位置の座標を検出する、タッチパネルといったポインティングデバイスとして機能する。
【００１８】
本実施形態の情報処理装置１０のタッチセンサ１４ａは、例えば、操作指等の接触による電界の変化を捉えて、ＬＣＤ１５ａ等の表示デバイス面に対する操作指等の接触位置を検出する静電容量方式の一つである相互容量方式のタッチセンサである。
【００１９】
図２に、相互容量方式のタッチセンサの説明図を例示する。図２に例示の相互容量方式のタッチセンサ１４ａは、ＬＣＤ１５ａ等の表示デバイスと組合せられ、情報処理装置１０が備えるタッチパネルとして機能する。タッチセンサ１４ａで検出される座標は、例えば、組合せられたＬＣＤ１５ａ等の表示デバイスの左上角部を原点とし、表示デバイスの左右方向をＸ軸、上下方向をＹ軸とした（Ｘ，Ｙ）の２次元座標として表すことができる。なお、以下の説明では、相互容量方式のタッチセンサ１４ａと組合せられて機能するタッチパネルを“静電容量方式のタッチパネル”とも称する。
【００２０】
図２に例示のように、タッチセンサ１４ａでは、例えば、ＩＴＯ（酸化インジウムスズtin-doped indium oxide）等の透明電極である受信側電極及び送信側電極が、縦横２層に交差するようマトリクス状に配置されている。そして、受信側電極と送信側電極とが交差する交点は、例えば、操作指等の接触による電界の変化を検出信号として検知する電極（…、Ｐｎ−１、Ｐｎ、Ｐｎ＋１、…）列となる。
【００２１】
タッチセンサ１４ａは、例えば、各電極の検出信号から、タッチセンサ１４ａに対する操作指等の接触状態を検出する。タッチセンサ１４ａは、接触状態となった電極Ｐｎの座標位置から、操作指等の接触位置に係る座標を検出することができる。
【００２２】
相互容量方式のタッチセンサ１４ａでは、例えば、送信側電極から受信側電極に対してパルスを入力することで電極間に電界を発生させる。送信側電極と受信側電極との間に発生した電界は、例えば、操作指等の接触状態により変化する。タッチセンサ１４ａの受信側電極は、例えば、送信側電極との間に発生した電界の変化量を、０値を中心としたプラス値、或いは、マイナス値の検出信号として検出する。相互容量方式のタッチセンサ１４ａでは、例えば、受信側電極で検出された電界の変化量に基づいて操作指等の接触状態を検出することができる。
【００２３】
ここで、相互容量方式のタッチセンサ１４ａの受信側電極では、例えば、センサ表面に何も接触していない状態には、電界の変化量として０値が検出される。但し、センサ表面に操作指が近付くと電界の一部が指に吸い取られ、吸い取られた電界の一部は操作指を経由して地面等の接地方向に流れるため電極間の電界が減少する。電界の減少は、マイナスの値を有する電荷の受信側電極への移動の減少を意味し、結果として検出信号の変化量はプラス値となる。
【００２４】
図３Ａに、相互容量方式のタッチセンサ１４ａに操作指Ｚ１を接触させた状態の説明図を例示する。図３Ａ（ａ）は、タッチセンサ１４ａに操作指Ｚ１の指先を接触させた場合の説明図であり、図３Ａ（ｂ）は、タッチセンサ１４ａに操作指Ｚ１の指の腹を全体的に接触させた場合の説明図である。
【００２５】
なお、図３Ａ（ａ）、（ｂ）のグラフＧ１、Ｇ２は、受信側電極列で検出される電界の変化量の分布を表す。図３Ａ（ａ）、（ｂ）の各グラフの縦軸は、受信側電極列で検出さ
れる検出信号の状態を表し、横軸は、タッチセンサ１４ａ面の一軸方向（例えば、Ｘ軸方向）の距離を表す。
【００２６】
図３Ａ（ａ）に例示するように、タッチセンサ１４ａに操作指Ｚ１の指先を接触させた場合には、センサ表面への接触面積は相対的に小さくなる。このため、操作指Ｚ１を経由して地面等の接地方向に流れる電荷量は相対的に少なくなり、グラフＧ１に例示のように、接触状態を検出するための検出信号の分布幅は範囲が狭くなる。但し、グラフＧ１に例示のように、例えば、センサ表面に接触させた指先等の中心部では、接触を検出するための閾値Ｔｐを超える変化量が検出されるため、操作指Ｚ１の接触状態が検出される。
【００２７】
また、図３Ａ（ｂ）に例示するように、タッチセンサ１４ａに操作指Ｚ１の指の腹を全体的に接触させた場合では、センサ表面への接触面積は相対的に大きくなる。このため、操作指Ｚ１を経由して地面等の接地方向に流れる電荷量は相対的に多くなり、グラフＧ２に例示のように、広範囲に分布するプラス値の変化量が検出信号として検出される。図３Ａ（ｂ）では、グラフＧ２に例示のように、接触を検出するための閾値Ｔｐを超えるプラス値の変化量が広範囲に検出される。
【００２８】
なお、タッチセンサ１４ａへの接触を検出するための閾値Ｔｐは、任意に設定することができる。しかしながら、閾値Ｔｐを高く設定した場合には、センサ表面に接触した操作指等に対する接触検出の反応が鈍くなるといった操作性の問題が発生してしまう。例えば、図３Ａ（ｂ）に例示の接触状態を検出することができても、図３Ａ（ａ）に例示の接触状態を検出することができなくなってしまう。
【００２９】
一方、閾値Ｔｐを低く設定した場合には、ユーザの意図しない接触に過敏に反応してしまうため、検出された接触による誤操作を招く虞がある。また、相互容量方式のタッチセンサ１４ａの電極は、外来ノイズを受信するアンテナとなり易い傾向にある。このため、閾値Ｔｐを低く設定した場合には、例えば、情報処理装置１０に接続されたＡＣアダプタ等の発生する電磁波を外来ノイズとして受信し、受信した外来ノイズを接触状態として誤検出する虞がある。センサ表面への接触を検出するための閾値Ｔｐの設定は、上述の誤検出とタッチセンサ１４ａの操作性との釣り合いを考慮した適切な設定値が要請される。
【００３０】
次に、相互容量方式のタッチセンサ１４ａのセンサ表面に水等が付着した状態を説明する。相互容量方式のタッチセンサ１４ａのセンサ表面に付着した水等は、例えば、誘電体として機能する。また、センサ表面に付着した水等は地面等のアースには接地せずにセンサ表面に留まる。このため、タッチセンサ１４ａの電極間で発生した電界は、水等の付着部分に吸い寄せられ、水等が付着した領域の電極間の電界が増加することとなる。水等が付着した領域の電極Ｐｎからは、マイナス値の変化量が検出信号として検出されることとなる。
【００３１】
なお、センサ表面に水等が付着した状態において、相互容量方式のタッチセンサ１４ａの、水等が接触している領域と非接触領域との境界領域に位置する電極Ｐｎでは、水等の付着部分に電界が吸い寄せられたことにより電界が減少する。このため、水等が接触している領域と非接触領域との境界領域に位置する電極Ｐｎでは、プラス値の変化量が検出信号として検出されることとなる。
【００３２】
図３Ｂに、相互容量方式のタッチセンサ１４ａに水滴Ｚ２を付着させた状態の説明図を例示する。図３Ｂに例示の水滴Ｚ２の付着状態は、水滴Ｚ２がセンサ表面に均一に付着した場合の説明図である。センサ表面に付着した水滴Ｚ２は、ほぼ円形状の範囲に付着しているものとする。
【００３３】
なお、図３ＢのグラフＧ３は、検出信号として検出される電界の変化量の分布を表す。図３ＢのグラフＧ３の縦軸は、検出信号の強度を表し、横軸は、タッチセンサ１４ａ面の一軸方向（例えば、Ｘ軸方向）の相対距離を表す。また、破線で示す位置ｄ１、ｄ３は、センサ表面に付着した水滴Ｚ２の縁辺を表し、破線で示す位置ｄ２は、センサ表面に付着した水滴Ｚ２の中心部を表す。
【００３４】
図３Ｂに例示するように、センサ表面に付着した水滴Ｚ２は誘電体として働くため、電極間で発生した電界が水滴Ｚ２の付着部分に吸い寄せられる。電極間で発生した電界は付着した水滴Ｚ２の容量に比例し、吸い寄せられる。なお、センサ表面に付着した水滴Ｚ２は地面等のアースには接地せずにセンサ表面に留まる。このため、水滴Ｚ２が付着した領域の電極間の電界は、付着した水滴Ｚ２の容量に応じて変化することとなる。
【００３５】
この結果、図３ＢのグラフＧ３に示すように、付着した水滴Ｚ２の縁辺ｄ１、ｄ３から中心位置ｄ２にかけて、検出信号として検出されるマイナス値の変化量が増加するよう分布する。そして、水滴Ｚ２の縁辺ｄ１、ｄ３と該水滴Ｚ２が付着していない非付着領域との境界となる領域では、検出信号として検出されるプラス値の変化量が、水滴Ｚ２の縁辺に沿って分布することとなる。
【００３６】
水滴Ｚ２の縁辺に沿って検出されるプラス値の変化量は、例えば、操作指等の接触状態として誤検出される虞がある。例えば、図３Ａ（ａ）、（ｂ）で説明したように、接触を検出するための閾値Ｔｐの値を高く設定し、水滴Ｚ２の縁辺に沿って検出されるプラス値の変化量に対する誤検出を抑制することが想定される。
【００３７】
しかしながら、センサ表面に付着した水等の外形形状は、例えば、タッチセンサ１４ａを備える情報処理装置１０の使用環境等に左右される傾向にある。このため、センサ表面に付着した水等の外形形状は、例えば、図３Ｂに例示のように円形形状にはならず、不定形の形状となる傾向がある。また、不定形の外形形状でセンサ表面に付着した水等の水量分布は、一様には分布せず、様々な分布形態をとる傾向がある。例えば、或る付着部分では高さ方向に相対的な厚みを持って分布して水量が多い状態となり、他の付着部分では高さ方向に相対的に薄く広範囲に分布して水量が少ない状態となるといった分布形態である。
【００３８】
上述のように、外形形状が不定形な場合、付着した水等の水量分布が不均一な分布形態となる場合には、付着した水等との境界領域に出現するプラス値の検出信号の分布状態も複雑になる。このため、接触を検出するための閾値Ｔｐの設定値で、センサ表面に付着した水等に伴うプラス値の領域に対する誤検出を抑制することは困難となっていた。
【００３９】
図３Ｃに、不定形の外形形状を有する水等がセンサ表面に付着した状態の説明図を例示する。図３Ｃの説明図において、領域Ｚ３−Ｚ６は、相互容量方式のタッチセンサ１４ａの表面に付着した水等の付着領域（接触領域）を表す。領域Ｚ３は、不定形の外形形状を有する付着領域であり、領域Ｚ４−Ｚ６は、略円形状の外形形状を有する付着領域である。
【００４０】
また、各付着領域の内側の領域Ｚ３ａ−Ｚ６ａは、検出信号として検出されるマイナス値の変化量が所定の閾値Ｔｍを下回る検出領域を表す。各検出領域は、それぞれの付着領域と相似する外形形状となる。
【００４１】
なお、図３Ｃの説明図において、「＋」、「−」といった記号は、それぞれの領域内で検出される検出信号の変化量の極性を表す。また、「＋」、「−」といった記号の密集度が高い部分は、検出信号として検出される変化量が大きいことを表している。
【００４２】
図３Ｃにおいて、不定形の外形形状を有する領域Ｚ３のマイナス値の検出領域（領域Ｚ３ａ）では、右側の領域は相対的に「−」の密集度が高く、左側の領域は相対的に「−」の密集度が低くなるように分布している。センサ表面に付着した領域Ｚ３の水等は、右側に水量が多い状態、左側に水量が少ない状態で分布していることが判る。
【００４３】
また、図３Ｃでは、「−」の変化量が密集する領域Ｚ３の右側の領域には、領域Ｚ５，Ｚ６が近接している。また、領域Ｚ５，Ｚ６は、「−」の変化量が密集する領域Ｚ３の右側の領域を上下方向から挟むように位置している。このため、領域Ｚ５，Ｚ６により上下方向から挟むように近接された、領域Ｚ３の右側の「−」の変化量が密集する領域に沿って、「＋」の変化量が密集する領域Ｚ７が出現することとなる。
【００４４】
領域Ｚ７では、電極間で発生した電界が領域Ｚ３，Ｚ５，Ｚ６へ吸い寄せられるため、検出信号として検出されるプラス値の変化量の値が大きくなる。このため、例えば、領域Ｚ８に対してプラス値の変化量として検出される検出信号を抑制可能に設定された閾値Ｔｐであっても、領域Ｚ７では、閾値Ｔｐを超えるプラス値の変化量が検出信号として検出されてしまう。閾値Ｔｐを超えたプラス値の変化量が検出される領域Ｚ７では、例えば、領域Ｚ７に対する操作指等の接触が発生したものとして誤検知されることとなる。
【００４５】
本実施形態の情報処理装置１０は、静電容量方式のタッチパネルの表面の一部に、親水性の相対的に高い領域を設ける。静電容量方式のタッチパネルの表面に付着した水等は、親水性の相対的に高い領域に誘導されるため、付着時の外形形状、付着時の水量の分布状態を制限することが可能となる。
【００４６】
そして、本実施形態の情報処理装置１０は、親水性の相対的に高い領域内の電極および該領域の周囲領域（境界領域）の電極で検出された検出信号の変化量と、予め登録された所定の条件との相関の度合いを判定する。ここで、予め登録された所定の条件とは、例えば、上述の親水性の相対的に高い領域に実験的に水等を付着させた状態で測定された検出信号の変化量を示す分布パターン等が例示できる。
【００４７】
本実施形態の情報処理装置１０は、判定の結果、相関の度合いが閾値以上の場合には、静電容量方式のタッチパネルの親水性の相対的に高い領域および該領域の周囲領域（境界領域）の範囲を、接触を検知するための無効範囲に設定する。情報処理装置１０は、例えば、無効範囲に設定された範囲内でプラス値の変化量の検出信号を検出しても、静電容量方式のタッチパネルに対する接触として検知しない。本実施形態の情報処理装置１０は、無効範囲に設定された範囲外で検出されたプラス値の変化量の検出信号を静電容量方式のタッチパネルに対する接触として検知する。この結果、本実施形態の情報処理装置１０では、静電容量方式のタッチパネルに付着した水等による接触操作の誤検出の防止が可能となる。
【００４８】
（タッチパネル表面の親水領域のパターン）
図４に、本実施形態の静電容量方式のタッチパネルの表面に設けられる親水領域のパターンの一例を例示する。図４に例示のパターン例において、タッチパネル１０ａは、本実施形態の静電容量方式のタッチパネルを表す。また、円形状の領域Ａ０，Ａ１，Ａ２，Ａ３、…Ａｍは、タッチパネル１０ａの表面に設けられた親水性の相対的に高い（撥水性の低い）領域を表す。タッチパネル１０ａの表面の、親水性の相対的に高い領域を除く他の領域Ｂは、撥水性の相対的に高い領域を表す。なお、以下の説明では、親水性の相対的に高い領域を“親水性のある領域”とも称し、撥水性の相対的に高い領域を“撥水性のある領域”とも称す。
【００４９】
タッチパネルを有する情報処理装置では、例えば、タッチパネルの表面に対してシリコン、フッ素等を用いたコーティング処理が施される傾向にある。コーティング処理を施すことにより、例えば、タッチパネルに接触する操作指等の滑りを良くして操作性を向上させる、タッチパネルに接触させた操作指等の指紋等の付着を抑制する等の効果が期待できるからである。
【００５０】
コーティング処理に用いられるシリコン、フッ素等は撥水性を有する傾向がある。このため、例えば、コーティング処理の際に特定の領域をマスキングすることで、タッチパネルの領域に部分的に撥水性の相対的に高い領域および低い領域（親水性のある領域）を設けることが可能となる。
【００５１】
タッチパネル１０ａでは、例えば、コーティング処理の際の、マスキングする特定の領域を円形状として複数に配列することで、撥水性の相対的に低い、つまり、親水性の相対的に高い円形状の領域Ａ０、…Ａｍと、撥水性の相対的に高い領域Ｂとが設けられる。
【００５２】
ここで、撥水性ある平面の上に水滴等が付着した場合には、付着した水滴等は、例えば、僅かな傾きによる重力荷重や振動等の外力により、撥水性のある平面上を容易に移動する傾向がある。一方、親水性のある平面の上に水滴等が付着した場合には、付着した水滴等は、親水性が相対的に高いため容易には移動せずに付着した平面上の位置に留まり易くなる傾向がある。
【００５３】
従って、図４に例示のように、撥水性のある平面上に、撥水性の相対的に低い（親水性のある）領域を複数に設けることで、タッチパネル１０ａの表面に付着した水滴等を親水性のある複数の領域Ａ０、…、Ａｍに分散して誘導することが可能となる。
【００５４】
図５Ａに、図４に例示のタッチパネル１０ａの表面に付着した水滴等の分散についての説明図を例示する。図５Ａに例示の説明図は、図４に例示のタッチパネル１０ａを側面視した図である。図５Ａの説明図において、領域Ａｍ−３，Ａｍ−２，Ａｍ−１，Ａｍは、親水性のある領域を表し、領域Ｂは撥水性のある領域を表す。また、図５Ａに説明図において、（１）から（５）は、並び順に、タッチパネル１０ａの表面に付着した水滴Ｚ９の分散する過程を表す。
【００５５】
図５Ａ（１）から図５Ａ（３）に例示のように、タッチパネル１０ａの表面に付着した水滴Ｚ９は、水滴量を維持した状態で親水性のある領域Ａｍ−２，Ａｍ−１に跨るように付着する。親水性のある領域Ａｍ−２，領域Ａｍ−１の間には撥水性のある領域Ｂが存在する。
【００５６】
図５Ａ（４）に例示のように、親水性のある領域Ａｍ−２，Ａｍ−１に跨るように付着した水滴Ｚ９は、振動等の外力により撥水性のある領域Ｂを移動するよう動作し、親水性のある領域Ａｍ−２，領域Ａｍ−１ではそれぞれの領域上に留まるよう動作する。この結果、図５Ａ（５）に例示のように、水滴Ｚ９は、領域Ａｍ−２上に留まる水滴Ｚ９ａおよび領域Ａｍ−１上に留まる水滴Ｚ９ｂに分割される。親水性のある領域Ａｍ−２，Ａｍ−１に跨るように付着した水滴Ｚ９の水量は、水滴Ｚ９ａおよび水滴Ｚ９ｂの各水量に分割される。親水性のある領域Ａｍ−２，Ａｍ−１上に分割された水滴Ｚ９ａ、Ｚ９ｂの付着状態での外形形状は、領域Ａｍ−２，Ａｍ−１の外形形状に相当することとなる。
【００５７】
図４に例示にように、本実施形態のタッチパネル１０ａの表面に設けられた親水性のある領域の外形形状は円形形状である。このため、例えば、図５Ａ（５）に例示のように、領域Ａｍ−２，Ａｍ−１上に分散した水滴Ｚ９ａ、Ｚ９ｂの付着時の外形形状は、円形形状となる。
【００５８】
なお、タッチパネル１０ａの表面に設けられる親水性のある領域の形状は、例えば、楕円形状、六角形状、八画形状等であってもよい。但し、図３Ｂ等で説明したように、親水性のある領域に誘導された水滴等は、付着時の外形形状に沿ってプラス値の変化量を検出信号として検出する領域を有することとなる。つまり、親水性のある領域に誘導された水滴等は、親水性のある領域の外形形状に沿って、プラス値の変化量が検出される領域を有する。外形形状に沿って検出されるプラス値の変化量の均質性、領域分布の均等性を確保するため、タッチパネル１０ａの表面に設けられる親水性のある（撥水性の低い）領域の形状は、円形形状が望ましい。
【００５９】
また、親水性のある領域のサイズは、例えば、異なるサイズの形状領域を複数種類に用意し、異なるサイズの形状領域をタッチパネル１０ａの表面に、複数に配列するようにしてもよい。例えば、相対的に面積が異なる２種類のサイズの領域を交互に配列するようにしてもよい。但し、付着した水滴等の外形形状に沿って検出される検出信号のプラス値の変化量の均質性、領域分布の均等性を確保するため、図４に例示のように、均等サイズの親水性のある領域を複数に配列することが望ましい。
【００６０】
図５Ｂに、撥水性が均一なタッチパネル、及び、図４に例示の親水性パターンを設けたタッチパネル１０ａについての水滴付着状態を説明する説明図を例示する。図５Ｂ（ａ）は、撥水性が均一なタッチパネルの表面に水滴等が付着した状態の平面視例であり、図５Ｂ（ｂ）は、図４に例示の親水性パターンを設けたタッチパネル１０ａの表面に水滴等が付着した状態を平面視例である。なお、図５Ｂ（ｂ）において、円形形状の領域ｅ１、ｅ２はタッチパネル１０ａの表面に設けられた親水性のある領域を表し、ハッチングされた領域ｅ２は水滴等が付着した領域を表し、ハッチングされていない領域ｅ１は水滴等が付着していない領域を表す。
【００６１】
図５Ｂ（ａ）に例示のように、撥水性が均一なタッチパネルでは、表面に付着した水滴Ｚ１０は、該水滴Ｚ１０の水量に応じてタッチパネルの平面（表面）上に拡散し、付着状態での外形形状は不規則な形状となる。一方、図５Ｂ（ｂ）に例示のように、図４に例示の親水性パターンを設けた場合では、水滴は、撥水性のある領域Ｂに誘導され、複数の円形状の親水性のある領域ｅ２に分散して付着する。図４に例示の親水性パターンを設けた場合には、複数の親水性のある領域ｅ２に分散して付着した水滴Ｚ１０ａは、領域ｅ２の外形形状に沿った規則的な形状となる。
【００６２】
タッチパネル１０ａの表面に設けられる、複数の親水性のある領域Ａ０，Ａ１，…，Ａｍの配置は、例えば、図４、図５（ｂ）等に例示のように、千鳥配置されることが望ましい。例えば、同じサイズの円形形状の、複数の親水性のある領域を千鳥配置することで、隣接する領域間の相互距離を短くできる。また、同じサイズの円形形状の、複数の親水性のある領域を千鳥配置することで、隣接する親水性のある領域間に存在する撥水性のある領域の面積を小さくできる。この結果、撥水性のある領域の撥水効果を確実なものとし、該撥水性のある領域に付着した水滴等を親水性のある領域に誘導する効果を高めることが可能となる。
【００６３】
図４等に例示のタッチパネル１０ａでは、表面に水滴等が付着する場合には、千鳥配置された、同じサイズの円形形状の複数の親水性のある領域内に水滴等が存在し、他の領域（撥水性のある領域）には水滴等は存在しないと判断することが可能となる。本実施形態の情報処理装置１０では、タッチパネル１０ａの表面に設けられた親水性のある領域Ａ０，Ａ１，…，Ａｍのそれぞれに対して水滴付着状態が判定できる。本実施形態の情報処理装置１０では、タッチパネル１０ａの表面に対する水滴付着状態の判定処理を簡易化し、且つ、判定精度を高めることが可能となる。
【００６４】
〔装置構成〕
図１に戻り、本実施形態の情報処理装置１０は、接続バスＢ１によって相互に接続されたＣＰＵ（Central Processing Unit）１１、主記憶部１２、補助記憶部１３、入力部１
４、出力部１５、通信部１６を有する。主記憶部１２及び補助記憶部１３は、情報処理装置１０が読み取り可能な記録媒体である。
【００６５】
情報処理装置１０は、ＣＰＵ１１が補助記憶部１３に記憶されたプログラムを主記憶部１２の作業領域に実行可能に展開し、プログラムの実行を通じて周辺機器の制御を行う。これにより、情報処理装置１０は、上述した所定の目的に合致した機能を実現することができる。
【００６６】
図１に例示の情報処理装置１０において、ＣＰＵ１１は、情報処理装置１０全体の制御を行う中央処理演算装置である。ＣＰＵ１１は、補助記憶部１３に格納されたプログラムに従って処理を行う。主記憶部１２は、ＣＰＵ１１がプログラムやデータをキャッシュしたり、作業領域を展開したりする記憶媒体である。主記憶部１２は、例えば、ＲＡＭ（Random Access Memory）やＲＯＭ（Read Only Memory）を含む。
【００６７】
補助記憶部１３は、各種のプログラム及び各種のデータを読み書き自在に記録媒体に格納する。補助記憶部１３は、外部記憶装置とも呼ばれる。補助記憶部１３には、ＯＳ（Operating System）、各種プログラム、各種テーブル等が格納される。ＯＳは、例えば、搭載されたアプリケーションプログラム（以下、アプリとも称す）に対し、管理するリソースへのインターフェースを提供する。情報処理装置１０に搭載されたアプリは、ＯＳによって提供されたリソースへのインターフェースを使用することで、アプリ機能を実現する。ＯＳは、通信部１６を介して接続される外部装置等とのデータの受け渡しを行う通信インターフェースプログラムを含む。外部装置等には、例えば、図示しないネットワーク上の、ＰＣやサーバ等の他の情報処理装置、外部記憶装置等が含まれる。
【００６８】
補助記憶部１３は、例えば、ＥＰＲＯＭ（Erasable Programmable ROM）、ソリッドス
テートドライブ装置、ハードディスクドライブ（ＨＤＤ、Hard Disk Drive）装置等であ
る。また、補助記憶部１３としては、例えば、ＣＤドライブ装置、ＤＶＤドライブ装置、ＢＤドライブ装置等が提示できる。記録媒体としては、例えば、不揮発性半導体メモリ（フラッシュメモリ）を含むシリコンディスク、ハードディスク、ＣＤ、ＤＶＤ、ＢＤ、ＵＳＢ（Universal Serial Bus）メモリ、メモリカード等がある。
【００６９】
入力部１４は、ユーザ等からの操作指示等を受け付ける。入力部１４は、カメラ、入力ボタン、タッチセンサ１４ａ、加速度センサ１４ｂ、ポインティングデバイス、マイクロフォン等の入力デバイスである。入力部１４には、キーボード、ワイヤレスリモコン等が含まれるとしてもよい。
【００７０】
ポインティングデバイスには、例えば、タッチセンサ１４ａとＬＣＤ１５ａ等が組み合わされたタッチパネル、マウス、トラックボール、ジョイスティック等が含まれる。入力部１４から入力された情報は、接続バスＢ１を介してＣＰＵ１１に通知される。例えば、ポインティングデバイスで検出した座標情報、加速度センサ１４ｂで検出された加速度情報等は、接続バスＢ１を介してＣＰＵ１１に通知される。
【００７１】
出力部１５は、ＣＰＵ１１で処理されるデータや主記憶部１２に記憶されるデータを出力する。出力部１５は、ＬＣＤ１５ａ、ＣＲＴ（Cathode Ray Tube）ディスプレイ、ＰＤＰ（Plasma Display Panel）、ＥＬ（Electroluminescence）パネル、有機ＥＬパネル等
の表示デバイスを含む。また、出力部１５には、プリンタ、スピーカ等の出力デバイスが
含まれる。
【００７２】
通信部１６は、例えば、情報処理装置１０が接続するネットワーク等とのインターフェースである。ネットワークには、例えば、インターネット等の公衆ネットワーク、携帯電話網等の無線ネットワーク、ＬＡＮ（Local Area Network）等が含まれる。
【００７３】
情報処理装置１０は、ＣＰＵ１１が補助記憶部１３に記憶されているＯＳ、各種プログラムや各種データを主記憶部１２に読み出して実行することにより、対象プログラムの実行と共に、図１に例示の処理手段である無効範囲処理部１０１を実現する。但し、無効範囲処理部１０１の一部がハードウェア回路によって動作するものであってもよい。情報処理装置１０は、以上の処理手段が参照し、或いは、管理するデータの保存先として補助記憶部１３を備える。補助記憶部１３には、座標管理ＤＢ２０１、基準分布ＤＢ２０２が含まれる。
【００７４】
〔処理ブロック構成〕
図１に例示の情報処理装置１０において、無効範囲処理部１０１は、例えば、補助記憶部１３に含まれる座標管理ＤＢ２０１、基準分布ＤＢ２０２を参照し、図４等に例示のタッチパネル１０ａの表面に付着した水滴等の付着状態を判定する。座標管理ＤＢ２０１には、タッチパネル１０ａの表面に設けられた親水性のある領域Ａｍのそれぞれに対応付けられた電極Ｐ及び電極Ｐの座標情報が登録される。また、基準分布ＤＢ２０２には、親水性のある領域Ａｍの水滴等の付着状態を判定するための基準データが登録される。
【００７５】
なお、座標管理ＤＢ２０１については、図６Ａ、６Ｂで説明し、基準分布ＤＢ２０２については、図７Ａ，７Ｂで説明する。また、以下の説明において、タッチパネル１０ａの表面に設けられた親水性のある領域を“親水領域”とも称する。
【００７６】
図４等に例示のタッチパネル１０ａの表面に対する水滴等の付着や操作指等の接触等は、例えば、ＬＣＤ１５ａと組合せられた相互容量方式のタッチセンサ１４ａの検出信号に基づいて検出される。
【００７７】
無効範囲処理部１０１は、例えば、座標管理ＤＢ２０１を参照し、親水領域Ａｍ毎に対応付けられた電極Ｐ群及び電極Ｐ群の座標情報を取得する。また、無効範囲処理部１０１は、例えば、タッチセンサ１４ａの各電極Ｐで検出された検出信号を、１０ｍｓといった一定の周期間隔で受け付ける。受け付けられた検出信号は、例えば、各電極Ｐに対応する座標に対応付けられて主記憶部１２の所定の領域に一時的に記憶される。
【００７８】
無効範囲処理部１０１は、例えば、座標管理ＤＢ２０１から取得した、親水領域Ａｍ毎に対応付けられた電極Ｐ群の座標情報と、各電極Ｐから検出された検出信号とに基づいて、親水領域Ａｍの水滴付着状態を判定する。水滴付着状態の判定は、タッチパネル１０ａの表面に設けられた親水領域Ａｍ毎に行われる。なお、水滴付着状態の判定は、例えば、基準分布ＤＢ２０２に登録された基準データとの相関の度合いを算出することで行われる。相関の度合いは、タッチパネル１０ａの表面に設けられた親水領域Ａｍ毎に算出される。
【００７９】
無効範囲処理部１０１は、例えば、親水領域Ａｍ毎に算出した相関の度合いが閾値以上の場合には、処理対象となる親水領域Ａｍには水滴等が付着していると判定する。無効範囲処理部１０１は、例えば、水滴等が付着している状態と判定された親水領域Ａｍについて、該親水領域Ａｍを含む電極Ｐ群の座標範囲を、接触の有無を検出する際の無効範囲に設定する。
【００８０】
無効範囲処理部１０１は、例えば、無効範囲と特定されたタッチパネル１０ａ上の座標情報を、タッチセンサ１４ａの検出信号に基づいて接触判定を行うアプリケーションプログラム（以下、アプリとも称す）等に引き渡す。
【００８１】
接触判定を行うアプリでは、例えば、無効範囲内で検出された検出信号を除外し、無効範囲外で検出された検出信号に基づいてタッチパネル１０ａの表面に対する接触判定が行われる。接触判定を行うアプリは、例えば、無効範囲外で検出された検出信号の変化量が閾値Ｔｐを超える領域を、操作指等による接触領域（タッチ領域）と判定する。情報処理装置１０では、例えば、接触判定を行うアプリから通知された接触領域の座標情報に基づいて、タッチ操作に応じた処理が実行される。
【００８２】
（親水領域と電極との対応関係）
図６Ａに、タッチパネル１０ａの表面に設けられた単位当たりの親水領域Ａと、該親水領域Ａを含むタッチセンサ１４ａの電極Ｐとの対応関係の説明図を例示する。図６Ａに例示の対応関係は、親水領域Ａを円形形状とした場合の一例である。
【００８３】
親水領域Ａに付着した水滴等は、例えば、図３Ｂ等で説明したように、親水領域Ａ内に存在する電極Ｐ群により、マイナス値の変化量を伴う検出信号として検出される。図６Ａの例では、例えば、ハッチングされた領域内に存在する電極Ｐ群は、マイナス値の変化量の検出信号を検出する。
【００８４】
図６Ａに例示するように、タッチセンサ１４ａの電極Ｐは、例えば、ｍｍ単位等の一定間隔で格子状に配列される。親水領域Ａを円形形状とした場合、該親水領域Ａの外縁は、タッチセンサ１４ａに配列された電極Ｐ間を通る曲線となる。親水領域Ａに付着した水滴等を起因とするプラス値の変化量の検出信号は、親水領域Ａの外縁に沿って非付着領域側に位置する電極Ｐ群で検出されることとなる。このため、本実施形態の情報処理装置１０は、単位当たりの親水領域Ａを内包して囲む領域の電極Ｐ群を、該親水領域Ａに対応付けて管理する。
【００８５】
図６Ａは、円形形状の親水領域Ａを内包して囲む矩形形状の電極Ｐ群の領域を、該親水領域Ａに対応付けて管理する一例である。矩形形状の電極Ｐ群の領域は、例えば、図６Ａに例示のように、内包する親水領域Ａと互いの中心位置を共通とした同心状の矩形形状の領域とすることができる。
【００８６】
矩形形状の領域を、内包する親水領域Ａと互いの中心位置を共通とした同心状の領域とすることで、図３Ｃ等に例示する、親水領域Ａに付着した水滴等の中心部を垂直方向に貫く軸に対し、軸対称性を有する検出信号の分布パターンを得ることが可能になる。この結果、無効範囲処理部１０１は、例えば、検出信号の変化量に基づいて親水領域Ａに対する水滴等の付着判定を容易に行うことができる。なお、親水領域Ａを内包して囲む電極Ｐ群の領域は、親水領域Ａに付着した水滴等による対称的な電界の変化を検出するように設定できれば、六角形状、八角形状等であってもよい。
【００８７】
親水領域Ａを内包する矩形領域の電極Ｐ群は、例えば、親水領域Ａを内包する矩形領域の左上角部に位置する電極ＰをＰ（０，０）として定義し、Ｐ（０，０）を起点とした相対的な座標を用いて、Ｐ（ｘ、ｙ）として表すことができる。例えば、図６Ａに例示のように、矩形領域に存在する電極Ｐ群は、Ｐ（０，０）を起点として、左右方向にＰ（０，０）、Ｐ（１，０）、Ｐ（２，０）、…、Ｐ（ｘ，０）として表すことができる。同様にして、矩形領域に存在する電極Ｐ群は、Ｐ（０，０）を起点として、上下方向にＰ（０，０）、Ｐ（０，１）、Ｐ（０，２）、…、Ｐ（０，ｙ）として表すことができる。
【００８８】
図６Ａの例では、電極Ｐ群として、左右方向に５個の電極Ｐ、上下方向に５個の電極Ｐの総計２５個の電極Ｐで、単位当たりの親水領域Ａを内包する矩形領域が定義される。なお、親水領域Ａを内包する領域の設定は、例えば、タッチパネル１０ａの表面に設けられる親水領域Ａのサイズ、電極Ｐが配列される間隔等により決定することができる。親水領域Ａを内包する領域の設定は、親水領域Ａに付着した水滴等による対称的な電界の変化を検出可能であればよい。例えば、上下方向、左右方向のそれぞれに６個の電極Ｐを割り当て、総計３６個の電極Ｐが含まれる矩形領域に設定するとしてもよい。
【００８９】
本実施形態の情報処理装置１０は、単位当たりの親水領域Ａを内包する矩形形状の領域に存在する電極Ｐ（ｘ，ｙ）群を、タッチパネル１０ａの表面に設けられた各親水領域のそれぞれに対応付けて座標管理ＤＢ２０１に登録する。なお、矩形形状の領域に存在する電極Ｐ（ｘ，ｙ）群は、タッチセンサ１４ａで検出される２次元座標（Ｘ，Ｙ）と対応付けられて、座標管理ＤＢ２０１に登録される。
【００９０】
図６Ｂ（ａ）に、座標管理ＤＢ２０１に登録される親水領域と２次元座標（電極座標）との対応テーブルの一例（Ｔｂ１）を例示する。図６Ｂ（ｂ）は、対応テーブルＴｂ１で対応付けが行われる、親水領域、電極Ｐ（ｘ，ｙ）、電極Ｐ（ｘ，ｙ）の配置座標（２次元座標）の相対的な関係を例示する図である。
【００９１】
図６Ｂ（ｂ）では、例えば、電極Ｐ（ｘ，ｙ）の検出信号に対応する電極座標（Ｘ，Ｙ）は、左右方向にＸ座標（０−９）、上下方向にＹ座標（０−９）の２次元座標として表されるとする。
【００９２】
親水領域Ａ０を内包する矩形領域は、電極座標（Ｘ，Ｙ）＝（０，０）から電極座標（Ｘ，Ｙ）＝（４，４）の座標範囲に存在する電極Ｐ（ｘ，ｙ）群として表すことができる。つまり、親水領域Ａ０を内包する矩形領域の左上角部に配置される電極Ｐ（０，０）は電極座標（０，０）に対応し、矩形領域の右下角部に配置される電極Ｐ（４，４）は電極座標（４，４）に対応することとなる。
【００９３】
また、親水領域Ａ１を内包する矩形領域は、電極座標（Ｘ，Ｙ）＝（５，０）から電極座標（Ｘ，Ｙ）＝（９，４）の座標範囲に存在する電極Ｐ（ｘ，ｙ）群として表すことができる。従って、親水領域Ａ１を内包する矩形領域Ａ０を内包する矩形領域の左上角部に配置される電極Ｐ（０，０）は電極座標（５，０）に対応し、矩形領域の右下角部に配置される電極Ｐ（４，４）は電極座標（９，４）に対応する。
【００９４】
なお、親水領域Ａｎ−２を内包する矩形領域は、電極座標（Ｘ，Ｙ）＝（２，５）から電極座標（Ｘ，Ｙ）＝（６，９）の座標範囲に存在する電極Ｐ（ｘ，ｙ）群として表される。このため、親水領域Ａｎ−２を内包する矩形領域の左上角部に配置される電極Ｐ（０，０）は電極座標（２，５）に対応し、矩形領域の右下角部に配置される電極Ｐ（４，４）は電極座標（６，９）に対応する。
【００９５】
図６Ｂ（ａ）に例示の対応テーブルＴｂ１では、上述した親水領域に対応付けて、電極Ｐ（ｘ，ｙ）、電極Ｐ（ｘ，ｙ）に対応する２次元座標（電極座標）の相対的な関係が登録される。
【００９６】
例えば、対応テーブルＴｂ１の親水領域Ａ１では、該親水領域Ａ１を内包する矩形領域の電極Ｐ（０，０）から電極Ｐ（４，４）の範囲内の電極Ｐ（ｘ，ｙ）群が登録される。各電極Ｐ（ｘ、ｙ）には、それぞれの電極座標（Ｘ，Ｙ）が対応付けて登録される。例えば、対応テーブルＴｂ１の親水領域Ａ１では、電極Ｐ（０，０）に対応する電極座標（５，０）は、“Ｐ（０，０）＝（５，０）”との表現で登録される。
【００９７】
（水滴付着状態を判定するための基準データ）
図３Ａ等で説明したように、親水領域Ａに水滴等が付着した場合には、以下に示す傾向の検出信号が電極Ｐ群により検出される。
（１）親水領域Ａの内側に位置する電極Ｐ群の検出信号では、それぞれにマイナス値の変化量が検出される。
（２）親水領域Ａの外側の非付着領域であり、且つ、親水領域Ａの外形形状の縁辺に近接する位置の電極Ｐ群の検出信号では、プラス値の変化量が検出される。
（３）親水領域Ａの外側の非付着領域であり、且つ、親水領域Ａの外形形状の縁辺から離れた位置の電極Ｐ群の検出信号では、０値の変化量が検出される。
【００９８】
図７Ａに、親水領域Ａに水滴等を付着させた状態で矩形領域内の電極Ｐ群で検出された検出信号の一例を例示する。図７Ａに例示のテーブルＴｂ２では、例えば、図６Ａ等に例示の親水領域Ａを内包する矩形領域内に位置する電極Ｐ群で検出された検出信号の変化量が配列されている。なお、親水領域Ａの形状は円形であり、矩形領域は、親水領域Ａと互いの中心位置（電極Ｐ（２，２））を共通とした同心状の領域である。
【００９９】
テーブルＴｂ２において、電極Ｐ（ｘ，ｙ）の下方側のカラムには、該電極Ｐ（ｘ，ｙ）で検出された変化量の検出値が格納されている。なお、各検出値は、親水領域Ａの中心に位置する電極Ｐ（２，２）で検出された検出値を“１”とするように正規化された値である。また、検出値に付加された符号“＋”は、プラス値の変化量が検出されたことを表し、符号“−”は、マイナス値の変化量が検出されたことを表す。
【０１００】
親水領域Ａ内に位置する電極Ｐは、図６Ａに例示のように、Ｐ（１，１）、Ｐ（２，１）、Ｐ（３，１）、Ｐ（１，２）、Ｐ（２，２）、Ｐ（３，２）、Ｐ（１，３）、Ｐ（２，３）、Ｐ（３，３）の９個である。テーブルＴｂ２において、親水領域Ａ内に位置する各電極Ｐ（ｘ，ｙ）に対応する検出値には“−”の符号が付加されており、上述した（１）の傾向を示していることが判る。
【０１０１】
また、親水領域Ａ外に位置し、親水領域Ａの円形状の縁辺に近接する電極Ｐは、図６Ａから、Ｐ（１，０）、Ｐ（２，０）、Ｐ（３，０）、Ｐ（０，１）、Ｐ（０，２）、Ｐ（０，３）、Ｐ（１，４）、Ｐ（２，４）、Ｐ（３，４）の９個である。加えて、Ｐ（４，１）、Ｐ（４，２）、Ｐ（４，３）の３個が該当する。テーブルＴｂ２において、親水領域Ａ外に位置し、親水領域Ａの円形状の縁辺に近接する各電極Ｐ（ｘ，ｙ）に対応する検出値には“＋”の符号が付加されており、上述した（２）の傾向を示していることが判る。
【０１０２】
なお、親水領域Ａ外に位置し、親水領域Ａの円形状の縁辺から相対的に離れている電極Ｐは、図６Ａから、Ｐ（０，０）、Ｐ（４，０）、Ｐ（０，４）、Ｐ（４，４）の４個である。テーブルＴｂ２において、Ｐ（０，０）には「＋０．００２」、Ｐ（４，０）には「＋０．０１１」、Ｐ（０，４）には「−０．０２３」、Ｐ（４，４）には「−０．０４４」が格納されている。各検出値は、｜０．０５｜以内の値であり、０値近傍の値であることが判る。各検出値は、０値ではないものの、上述した（３）の傾向を示していることが判る。
【０１０３】
従って、上述の（１）−（３）に示す傾向を持った、親水領域Ａを内包する領域範囲の電極Ｐで検出される検出信号の分布データを予め基準データとして基準分布ＤＢ２０２に登録することで、該基準データに基づく水滴等の付着判定が可能となる。
【０１０４】
図７Ｂに、基準分布ＤＢ２０２に登録される基準データの一例（Ｔｂ３）を例示する。
なお、基準データＴｂ３に例示の電極Ｐ（ｘ、ｙ）群は、図６Ａで説明した親水領域Ａを内包する領域範囲内の電極Ｐ（ｘ、ｙ）群である。図７Ｂに例示の基準データは、例えば、実験的に親水領域Ａを水滴等の付着状態とし、該親水領域Ａが内包される領域内の電極Ｐ群で検出される電界の変化量を測定し、該測定結果に基づいて設定することができる。
【０１０５】
基準データＴｂ３には、単位当たりの親水領域Ａに水滴等が付着した場合の、該親水領域Ａを内包する領域内の電極Ｐ群で検出される電界の変化量が配列される。なお、基準データＴｂ３に配列された電極Ｐ群のデータは、正規化されたデータである。データの正規化は、例えば、親水領域Ａの中心部に位置する電極Ｐの検出値に基づいて行われる。基準データＴｂ３には、単位当たりの親水領域Ａに対応付けられた電極Ｐ群の、水滴付着状態で検出される検出信号の分布パターンが格納されることとなる。
【０１０６】
なお、基準データＴｂ３では、プラス値の変化量が検出される電極Ｐ（ｘ，ｙ）には、正規化したデータに符号“＋”が付加される。同様にして、マイナス値の変化量が検出される電極Ｐ（ｘ，ｙ）には、正規化したデータに符号“−”が付加される。図７Ｂの基準データＴｂ３例では、例えば、親水領域Ａの中心部に位置する電極Ｐ（２，２）の検出値を“１”とする正規化が行われている。
【０１０７】
図７Ａで説明したように、親水領域Ａ内に位置する電極Ｐは、Ｐ（１，１）、Ｐ（２，１）、Ｐ（３，１）、Ｐ（１，２）、Ｐ（２，２）、Ｐ（３，２）、Ｐ（１，３）、Ｐ（２，３）、Ｐ（３，３）である。
【０１０８】
図７Ｂの基準データＴｂ３では、上述の各電極Ｐに対し、順に、「−０．２、−０．５、−０．２、−０．５、−１、−０．５、−０．２、−０．５、−０．２」といった正規化されたデータが格納されている。図７Ａで説明した（１）の傾向に加え、親水領域Ａの中心に位置する電極Ｐ（２，２）をピークとして、対称性を有するデータが格納されていることが判る。図３Ａに例示のように、水滴等が付着した状態でのマイナス値の変化量として検出される検出信号は、中心部をピークとして中心部からの離間距離に従って検出値が減少する傾向を有するからである。
【０１０９】
また、親水領域Ａ外に位置し、親水領域Ａの円形状の縁辺に近接する電極Ｐは、Ｐ（１，０）、Ｐ（２，０）、Ｐ（３，０）、Ｐ（０，１）、Ｐ（０，２）、Ｐ（０，３）、Ｐ（１，４）、Ｐ（２，４）、Ｐ（３，４）、Ｐ（４，１）、Ｐ（４，２）、Ｐ（４，３）である。
【０１１０】
図７Ｂの基準データＴｂ３では、上述の各電極Ｐに対し、順に、「＋０．１、＋０．２、＋０．１、＋０．１、＋０．１、＋０．２、＋０．２、＋０．１、＋０．１、＋０．１、＋０．２、＋０．１」といった正規化されたデータが格納されている。図７Ａで説明した（２）の傾向が反映されたデータであることが判る。
【０１１１】
同様にして、親水領域Ａ外に位置し、親水領域Ａの円形状の縁辺から相対的に離れている電極Ｐは、Ｐ（０，０）、Ｐ（４，０）、Ｐ（０，４）、Ｐ（４，４）である。図７Ｂの基準データＴｂ３では、Ｐ（０，０）、Ｐ（４，０）、Ｐ（０，４）、Ｐ（４，４）に対し、それぞれに「０」が格納されている。図７Ａで説明した（３）の傾向が反映されたデータであることが判る。
【０１１２】
〔処理フロー〕
以下、図８に例示のフローチャートを参照し、本実施形態の情報処理装置１０の水滴付着状態判定処理を説明する。情報処理装置１０は、例えば、主記憶部１２に実行可能に展開されたコンピュータプログラムにより、図８に例示の水滴付着状態判定処理を実行する
。図８に例示の水滴付着状態判定処理の実行により、情報処理装置１０では、例えば、タッチパネル１０ａの表面に設けられた親水領域Ａ０，Ａ１，…，Ａｍのそれぞれに対する水滴付着状態が判定される。情報処理装置１０では、例えば、水滴付着状態と判定された親水領域Ａに対応する所定の座標範囲が無効範囲に設定される。情報処理装置１０では、例えば、無効範囲を除外したタッチチパネル１０ａの領域内でユーザの操作指等に対する接触判定が実行される。
【０１１３】
図８に例示のフローチャートにおいて、水滴付着状態判定処理の開始は、例えば、相互容量方式のタッチセンサ１４ａの各電極Ｐで検出された検出信号の受け付けのときが例示できる。相互量方式のタッチセンサ１４ａの各電極Ｐは、例えば、送信側電極と受信側電極間の電界の変化量を検出する。情報処理装置１０は、例えば、１０ｍｓといった一定周期間隔で、タッチセンサ１４ａの各電極Ｐで検出された電界の変化量を検出信号として受け付ける。情報処理装置１０は、電界の変化量を検出した電極Ｐの配置座標と共に検出信号を受け付ける。
【０１１４】
情報処理装置１０は、例えば、処理対象となる親水領域Ａを指定するカウンタ値ｍを初期化（ｍ＝０）する（Ｓ１）。情報処理装置１０は、例えば、座標管理ＤＢ２０１を参照し、処理対象となる親水領域Ａｍに対応付けられた所定範囲の電極Ｐ群の配置座標を取得する（Ｓ２）。親水領域Ａｍに対応付けられた所定範囲の電極Ｐ群、及び、電極Ｐ群のそれぞれについての配置座標については、図６Ａ、図６Ｂで説明した。
【０１１５】
情報処理装置１０は、例えば、処理対象が親水領域Ａ０の場合には、図６Ｂに例示の対応テーブルＴｂ１を検索し、親水領域Ａ０に対応付けられた電極Ｐ（ｘ、ｙ）群、及び、電極Ｐ群のそれぞれについての配置座標（Ｘ，Ｙ）を取得する。情報処理装置１０は、例えば、取得した電極Ｐ（ｘ、ｙ）群、及び、電極Ｐ群のそれぞれについての配置座標（Ｘ，Ｙ）を処理対象となる親水領域Ａ０に対応付けて、主記憶部１２の所定の領域に一時的に記憶する。
【０１１６】
Ｓ３の処理では、情報処理装置１０は、例えば、タッチセンサ１４ａから受け付けた検出信号を主記憶部１２の所定の領域に一時的に記憶する。情報処理装置１０は、例えば、処理対象となる親水領域Ａ０に対応付けられた所定範囲の検出信号を、電極Ｐ群のそれぞれに対応付けて記憶する。情報処理装置１０は、例えば、電極Ｐ群のそれぞれに対応付けた検出信号を、Ｓ４の処理に引き渡す。
【０１１７】
例えば、処理対象が親水領域Ａ１の場合では、対応テーブルＴｂ１に例示のように、親水領域Ａ１を内包する矩形領域に存在する電極Ｐ（０，０）から電極Ｐ（４，４）が、親水領域Ａ１に対応する所定範囲の電極Ｐ群となる。電極Ｐ（０，０）の配置座標（電極座標）は、（Ｘ，Ｙ）＝（５，０）であり、電極Ｐ（４，４）の配置座標は、（Ｘ，Ｙ）＝（９，４）である。
【０１１８】
情報処理装置１０は、例えば、タッチセンサ１４ａから受け付けた電極Ｐの配置座標に基づいて、受け付けた検出信号を所定領域の電極Ｐ群のそれぞれに対応付けて記憶する。例えば、電極Ｐの配置座標が、（Ｘ，Ｙ）＝（５，０）の検出信号は、親水領域Ａ１の電極Ｐ（０，０）に対応付けて記憶される。同様にして、電極Ｐの配置座標が、（Ｘ，Ｙ）＝（９，４）の検出信号は、親水領域Ａ１の電極Ｐ（４，４）に対応付けて記憶される。
【０１１９】
Ｓ４の処理では、情報処理装置１０は、例えば、基準分布ＤＢ２０２を参照し、水滴付着状態を判定するための基準となる基準データ（基準分布データ）を取得する。そして、情報処理装置１０は、取得した基準データと処理対象となる親水領域Ａｍについて検出された電界の変化量との相関の度合い（相関係数）を算出する。なお、水滴付着状態を判定
するための基準データについては、図７Ａ、７Ｂで説明した。
【０１２０】
情報処理装置１０は、例えば、図７Ｂに例示の基準データＴｂ３を参照し、単位当たりの親水領域Ａを内包する所定範囲に存在する電極Ｐ群のそれぞれに対応付けられた基準データを取得する。基準データは、例えば、親水領域Ａの中心部に位置する電極Ｐの検出値に基づいて正規化された、所定範囲内における電界の変化量の分布パターンである。
【０１２１】
情報処理装置１０は、例えば、所定範囲内の電極Ｐ（ｘ、ｙ）、及び、該電極Ｐに対応付けられた電界の変化量を示す基準データを取得する。情報処理装置１０は、例えば、取得した電極Ｐ（ｘ、ｙ）毎の基準データを対応付けて主記憶部１２の所定の領域に一時的に記憶する。
【０１２２】
情報処理装置１０は、所定範囲内の電極Ｐ（ｘ、ｙ）の基準データと、Ｓ３の処理から引き渡された処理対象となる親水領域Ａｍに対応する所定範囲内の電極Ｐで検出された検出信号とに基づいて、相関の度合いを表す相関係数を算出する。
【０１２３】
情報処理装置１０は、例えば、Ｓ３の処理で引き渡された電極Ｐ群の検出信号に対し、中心部の電極Ｐ（２，２）の検出値に基づいて正規化処理を行う。そして、情報処理装置１０は、例えば、正規化された検出値と基準データとの差分値の２乗平均値を電極Ｐ毎に算出する。そして、電極Ｐ毎に算出された２乗平均値を足し合わせ、処理対象となる親水領域Ａｍの相関係数とすることができる。
【０１２４】
Ｓ５の処理では、情報処理装置１０は、Ｓ４の処理で算出された相関係数に基づいて処理対象となる親水領域Ａｍの水滴付着状態を判定する。水滴付着状態の判定は、例えば、Ｓ４の処理で算出された相関係数と所定の閾値との比較により行われる。ここで、所定の閾値は、例えば、実験的に水滴等を親水領域Ａｍに付着させた状態で電極Ｐ群からの検出値を測定し、該測定値に基づいて設定することができる。
【０１２５】
情報処理装置１０は、例えば、Ｓ４の処理で算出された相関係数が所定の閾値以下の場合には（Ｓ５，Ｙｅｓ）、基準データとの相関性が高いと判定し、Ｓ６の処理に移行する。一方、情報処理装置１０は、例えば、Ｓ４の処理で算出された相関係数が所定の閾値を超える場合には（Ｓ５，Ｎｏ）、基準データとの相関性が低いと判定し、Ｓ６の処理をスキップしてＳ７の処理に移行する。
【０１２６】
Ｓ６の処理では、情報処理装置１０は、例えば、処理対象の親水領域Ａｍには水滴等が付着していると判定し、該親水領域Ａｍを含む所定範囲の電極Ｐ群の配置座標に対して無効フラグを付加する。ここで、無効フラグは、例えば、無効か否かの状態を示す“０”、“１”といった２値のステータス値として表すことができる。
【０１２７】
情報処理装置１０は、例えば、無効状態の場合には、対応する電極Ｐの配置座標に対してフラグ値“１”といった無効フラグを付与する。一方、情報処理装置１０は、無効状態でない場合には、対応する電極Ｐの配置座標に対してフラグ値“０”を付与する。なお、無効状態でない場合には、対応する電極Ｐの配置座標に対してはフラグ値を付与しないとしてもよい。無効状態となった電極Ｐに対する配置座標が指定されればよい。
【０１２８】
なお、処理対象の親水領域Ａｍに水滴等が付着していると判定された場合の無効範囲は、例えば、図７Ａで説明した（１）、（２）の傾向を示す電極Ｐ群が例示できる。すなわち、水滴付着状態となった電極Ｐでは、操作指等の接触によるプラス値の変化量を検出信号として検出できないため、無効範囲と設定できる。また、水滴等が付着した親水領域Ａの外側の非付着領域であり、且つ、親水領域Ａの外形形状の縁辺に近接する位置の電極Ｐ
では、既に水滴付着に伴うプラス値の変化量が検出されているため、無効範囲と設定できる。
【０１２９】
情報処理装置１０は、水滴等が付着した親水領域Ａの外側の非付着領域であり、且つ、親水領域Ａの外形形状の縁辺に近接する位置の電極Ｐ群を無効範囲に含めることで、例えば、図３ＣのＺ７で示される領域の、接触判定の誤検出が抑制可能となる。
【０１３０】
情報処理装置１０は、例えば、無効フラグが付与された電極Ｐ群についての配置座標を主記憶部１２の所定の領域に一時的に記憶する。無効フラグが付与された電極Ｐ群の配置座標は、図８に例示のフローチャートのＳ９の処理に引き渡される。
【０１３１】
情報処理装置１０は、例えば、処理対象となる親水領域Ａを指定するカウンタ値ｍが最大値であるか否かを判定する（Ｓ７）。情報処理装置１０は、例えば、処理対象となる親水領域Ａを指定するカウンタ値ｍが最大値でない場合には（Ｓ７，Ｎｏ）、処理中のカウンタ値ｍをインクリメントし（ｍ＝ｍ＋１）、Ｓ２−Ｓ７の処理を継続する（Ｓ１１）。情報処理装置１０は、インクリメントされたカウンタ値ｍに対応する親水領域Ａｍを処理対象として、Ｓ２−Ｓ７の処理を実行する。
【０１３２】
一方、情報処理装置１０は、例えば、処理対象となる親水領域Ａを指定するカウンタ値ｍが最大値である場合には（Ｓ７，Ｙｅｓ）、タッチパネル１０ａの表面に設けられた親水領域Ａ０，Ａ１，…，Ａｍに対する水滴付着判定処理を終了する（Ｓ８）。
【０１３３】
Ｓ９の処理では、情報処理装置１０は、例えば、無効フラグが付与された電極Ｐ群の配置座標を除外した、他の配置座標の電極Ｐの検出信号に基づいてタッチパネル１０ａの表面に接触された操作指等の接触領域を検出する。情報処理装置１０は、例えば、電極Ｐの検出信号の変化量が所定の閾値Ｔｐを超えるプラス値である場合には、該電極Ｐの配置座標を操作指等による接触領域と判定する。
【０１３４】
情報処理装置１０は、例えば、Ｓ９の処理で接触判定が行われた接触領域の座標を主記憶部１２の所定の領域に一時的に記憶する。情報処理装置１０は、Ｓ９の処理で接触判定が行われた接触領域の座標をＳ１０の処理に引き渡す。
【０１３５】
Ｓ１０の処理では、情報処理装置１０は、例えば、Ｓ９の処理で引き渡された接触領域の座標に基づいて、タッチ操作に応じた処理を実行する。例えば、情報処理装置１０では、ＬＣＤ１５ａ等の表示デバイスに表示された操作ボタン等の表示部品に対する押下処理が実行される。
【０１３６】
ここで、情報処理装置１０で実行されるＳ３の処理は、タッチパネルの表面の所定規則で並ぶ撥水性が異なる２つの領域の内の、撥水性の低い領域および撥水性の低い領域との境界を含む撥水性の高い領域に存在する電極群から検出値を取得する取得ステップの一例である。また、情報処理装置１０のＣＰＵ１１等は、タッチパネルの表面の所定規則で並ぶ撥水性が異なる２つの領域の内の、撥水性の低い領域および撥水性の低い領域との境界を含む撥水性の高い領域に存在する電極群から検出値を取得する取得部の一例としてＳ３の処理を実行する。
【０１３７】
また、情報処理装置１０で実行されるＳ４−Ｓ１０の処理は、電極群から取得した検出値の分布状態と撥水性の低い領域との関係に基づいてタッチパネルの表面に対する接触操作の有効または無効を判定する処理ステップの一例である。また、情報処理装置１０のＣＰＵ１１等は、電極群から取得した検出値の分布状態と撥水性の低い領域との関係に基づいてタッチパネルの表面に対する接触操作の有効または無効を判定する処理部の一例とし
てＳ４−Ｓ１０の処理を実行する。
【０１３８】
また、情報処理装置１０で実行されるＳ４−Ｓ６，Ｓ９−Ｓ１０の処理は、電極群から取得した検出値の分布状態が所定条件を満たす場合には、タッチパネルの撥水性の低い領域を含む所定範囲を無効範囲に設定するとともに、無効範囲に設定された電極群を除く他の電極群の検出値から得られる物体の接触位置を上位プログラムに通知する処理ステップの一例である。また、情報処理装置１０のＣＰＵ１１等は、電極群から取得した検出値の分布状態が所定条件を満たす場合には、タッチパネルの撥水性の低い領域を含む所定範囲を無効範囲に設定するとともに、無効範囲に設定された電極群を除く他の電極群の検出値から得られる物体の接触位置を上位プログラムに通知する処理部の一例としてＳ４−Ｓ６，Ｓ９−Ｓ１０の処理を実行する。
【０１３９】
また、情報処理装置１０で実行されるＳ６の処理は、撥水性の低い領域および前記撥水性の低い領域との境界近傍の撥水性の高い領域に存在する電極群の配置位置を所定範囲とする処理ステップの一例である。また、情報処理装置１０のＣＰＵ１１等は、撥水性の低い領域および前記撥水性の低い領域との境界近傍の撥水性の高い領域に存在する電極群の配置位置を所定範囲とする処理部の一例としてＳ６の処理を実行する。
【０１４０】
また、情報処理装置１０で実行されるＳ４−Ｓ５の処理は、電極群から取得した検出値の分布状態と前記撥水性の低い領域への水滴付着の際に電極群から検出される検出値の基準分布データとの合致の度合いが所定閾値以上であることを所定条件とする処理ステップの一例である。また、情報処理装置１０のＣＰＵ１１等は、電極群から取得した検出値の分布状態と前記撥水性の低い領域への水滴付着の際に電極群から検出される検出値の基準分布データとの合致の度合いが所定閾値以上であることを所定条件とする処理部の一例としてＳ４−Ｓ５の処理を実行する。
【０１４１】
以上、説明したように、本実施形態の情報処理装置１０は、静電容量方式のタッチパネルの表面の一部に、規則的な外形形状を有する親水性のある領域（親水領域）を複数に設けることができる。静電容量方式のタッチパネルの表面に付着した水等は、親水性のある領域に誘導されるため、付着した水等の付着領域を容易に推定することができる。また、親水性のある領域は規則的な外形形状を有するため、水滴付着状態における電界の変化量の分布パターンを定性的に扱うことが可能となる。
【０１４２】
本実施形態の情報処理装置１０は、例えば、水滴付着状態での親水領域に対する電界の変化量の分布パターンを基準データとして記憶・保持することができる。このため、情報処理装置１０は、基準データとして保持された電界の変化量の分布パターンと、親水領域内および親水領域の縁辺に近接する領域に存在する電極群で検出された検出値と間の相関の度合いを算出することができる。
【０１４３】
本実施形態の情報処理装置１０は、算出された相関の度合いに基づいて、親水領域の水等の付着状態を判定することができる。この結果、本実施形態の情報処理装置１０では、静電容量方式のタッチパネルの表面に付着した水等の付着判定精度を高めることができる。
【０１４４】
また、本実施形態の情報処理装置１０は、水等の付着状態が判定された場合には、該付着領域を含む所定範囲の電極群が配置された座標範囲を無効範囲とすることができる。情報処理装置１０は、無効範囲の座標を除外した座標領域を対象として接触検知を行うことができる。この結果、本実施形態の情報処理装置１０では、水滴等の付着を起因とする接触操作の誤検出を抑制することが可能となる。
【０１４５】
＜変形形態１＞
実施形態１の水滴付着判定処理では、基準分布ＤＢ２０２に格納された基準データと単位当たりの親水領域Ａで検出された電界の変化量との相関の度合いに基づいて、処理対象となる親水領域Ａｍの水滴等の付着状態を判定した。親水領域Ａｍにおける水滴付着判定は、例えば、基準データとのパターンマッチングにより、判定するとしてもよい。
【０１４６】
例えば、図７Ａで説明したように、水滴等が付着した状態の親水領域Ａにおいて、親水領域Ａ内に存在する電極Ｐ群ではマイナス値の変化量が検出信号として検出される。このため、例えば、処理対象となる親水領域Ａｍ内の電極Ｐ群の検出信号の全てがマイナス値の変化量を検出している分布パターンの場合には、当該親水領域Ａｍを水滴付着状態と判定することができる。変形形態１の情報処理装置１０では、親水領域Ａｍ内の電極Ｐ群で検出されたマイナス値の変化量の分布パターンに基づいて、当該領域に対する水滴付着状態が判定できる。変形形態１の情報処理装置１０では、水滴付着判定処理に係るＣＰＵ１１等の処理負担を軽減することが可能となる。
【０１４７】
なお、変形形態１の情報処理装置１０では、パターンマッチングにより水滴付着状態と判定された場合には、例えば、処理対象の親水領域Ａｍに対して、図７Ａで説明した（１）、（２）の傾向を示す電極Ｐ群の配置座標を無効範囲と設定すればよい。例えば、図７Ａに例示のテーブルＴｂ２では、Ｐ（０，０）、Ｐ（４，０）、Ｐ（０，４）、Ｐ（４，４）の配置座標を除く他の電極Ｐ群の配置座標を無効範囲とすることができる。
【０１４８】
＜変形形態２＞
タッチパネル１０ａの表面に付着した水滴等は、例えば、タッチパネル１０ａの傾きに応じて立体的な付着形状を変化させる傾向がある。そして、タッチパネル１０ａの水平面に対する傾きが所定角度（転落角度）を超えた場合には、重力により付着した表面から流れ落ちることとなる。変形形態２の情報処理装置１０では、上述した水滴等の特性に基づいて、親水領域Ａｍに付着した水滴等の水滴付着判定処理の判定精度を向上させる。
【０１４９】
図９に、水平状態のタッチパネル１０ａの表面に付着した水滴等の、傾きによる形状変化の遷移の説明図を例示する。図９（ａ）は、水平状態のタッチパネル１０ａの表面の親水領域Ａｍに付着した水滴Ｚ１１ａの付着状態を表す。図９（ａ）のグラフＧ３は、親水領域Ａｍ内に存在する電極Ｐ群で検出される電界の変化量の分布を表す。図９（ａ）のグラフＧ３の縦軸は、検出信号の強度を表し、横軸は、タッチパネル１０ａの一軸方向（例えば、Ｘ軸方向）の相対距離を表す。また、破線で示す位置ｄ１、ｄ３は、タッチパネル１０ａの表面に付着した水滴Ｚ１１ａの縁辺を表し、破線で示す位置ｄ２は、水滴Ｚ１１ａの中心部を表す。
【０１５０】
図９（ｂ）は、水平面ｈ１に対する傾きが角度θの状態における、タッチパネル１０ａの表面の親水領域Ａｍに付着した水滴Ｚ１１ｂの付着状態を表す。図９（ｂ）のグラフＧ４は、親水領域Ａｍ内に存在する電極Ｐ群で検出される電界の変化量の分布を表す。図９（ｂ）のグラフＧ４の縦軸、横軸は、グラフＧ３と同様である。なお、破線で示す位置ｄ４、ｄ６は、タッチパネル１０ａの表面に付着した水滴Ｚ１１ｂの縁辺を表し、破線で示す位置ｄ５は、水滴Ｚ１１ｂの中心部を表す。なお、水平面ｈ１に対する傾き角度θは転落角度θ０未満の角度である。
【０１５１】
図９（ａ）に例示のように、水平状態で親水領域Ａｍに付着した水滴Ｚ１１ａは、中心部を垂直方向に通る軸に対して対称性の高い形状となる。親水領域Ａｍに付着した水滴Ｚ１１ａによる電界の変化量の分布パターンでは、図９（ａ）のグラフＧ３に例示のように、付着した水滴Ｚ１１ａの中心部でマイナス値の変化量として検出される検出信号の強度がピーク値となる。そして、中心部からの離間距離に応じて、電極Ｐ群で検出されるマイ
ナス値の変化量の強度が減少する。
【０１５２】
水平状態での水滴Ｚ１１ａによるマイナス値の変化量は、親水領域Ａｍに付着した水滴Ｚ１１ａの中心部の位置ｄ２を中心としてｄ１、ｄ３方向に対称性を有する分布パターンとなる。なお、親水領域Ａｍの縁辺に近接する非付着領域の電極Ｐ群では、プラス値の変化量が検出信号として検出される。
【０１５３】
一方、水平状態からタッチパネル１０ａを傾けた状態では、水滴Ｚ１１ａの形状は、水平面ｈ１に対する傾き角度θに応じて、図９（ｂ）の水滴Ｚ１１ｂに例示するように変形する。親水領域Ａｍに付着した水滴Ｚ１１ｂの水量は、傾き角度θに相当する重力の作用を受け、傾き方向の親水領域Ａｍの縁辺側に偏って分布することとなる。
【０１５４】
このため、親水領域Ａｍ内の電極Ｐ群で検出される変化量の分布パターンにも、図９（ｂ）のグラフＧ４に例示のように、偏りが発生する。図９（ｂ）のグラフＧ４では、親水領域Ａｍ内の電極Ｐ群で検出されるマイナス値の変化量のピーク値は、例えば、中心部からｄ６側に偏って検出されていることが判る。
【０１５５】
タッチパネル１０ａを傾けた状態における、親水領域Ａｍ内の電極Ｐ群で検出されるマイナス値の変化量の分布の変化は、例えば、水平面ｈ１に対する傾き角度θと傾きの方向で決定される。このため、親水領域Ａｍに対する水滴付着判定処理の際に参照する基準データを、例えば、水平面ｈ１に対する傾き角度θと傾きの方向に対応して変化させることにより、タッチパネル１０ａの傾きを考慮した水滴判定処理が可能となる。変形形態２の情報処理装置１０は、例えば、タッチパネル１０ａの傾きを考慮した水滴判定処理を実行することにより、水滴等付着時の判定精度を向上させることが可能となる。
【０１５６】
例えば、変形形態２の情報処理装置１０は、基準分布ＤＢ２０２に、予めタッチパネル１０ａの傾きに対応する基準分布データを登録する。例えば、水平状態から転落角度θ０に至るまでの、１度単位といった単位角度で傾けた状態毎の基準分布データを基準分布ＤＢ２０２に登録する。なお、タッチパネル１０ａの傾き方向は、例えば、８方位方向とし、それぞれの方位方向毎に、上述の傾き角度に対応した基準分布データを基準分布ＤＢ２０２に登録すればよい。
【０１５７】
変形形態２の情報処理装置１０は、例えば、加速度センサ１４ｂで検出された傾き角度θを取得する。そして、変形形態２の情報処理装置１０は、例えば、処理対象の親水領域Ａｍ内の電極Ｐ群で検出された検出信号と基準データとの相関を算出する際に、傾き角度θに対応した水滴付着時の基準データを使用する。変形形態２の情報処理装置１０では、例えば、加速度センサ１４ａで検出された傾き角度θに対応する基準データと親水領域Ａｍに対応する所定範囲の電極Ｐ群で検出された検出信号との相関係数が算出される。変形形態２の情報処理装置１０では、処理対象の親水領域Ａｍについて、加速度センサ１４ａで検出された傾き角度θに対応した水滴判定処理が実行される。
【０１５８】
＜変形形態３＞
なお、親水領域Ａｍに付着した水滴等は、タッチパネル１０ａの傾きが転落角度θ０を超えた場合には、タッチパネル１０ａの表面から流れ落ちることとなる。このため、例えば、加速度センサ１４ａで検出されたタッチパネル１０ａの傾き角度が転落角度θ０を超えた場合には、タッチパネル１０ａの表面に水滴等は付着していないと見做すことが可能である。変形形態３の情報処理装置１０は、例えば、加速度センサ１４ｂで検出された傾き角度θが転落角度θ０を超えることを判定し、水滴付着判定処理を省略することができる。
【０１５９】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１６０】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【０１６１】
《その他》
以上の実施形態は、さらに以下の付記と呼ぶ態様を含む。以下の各付記に含まれる構成要素は、他の付記に含まれる構成と組み合わせることができる。
【０１６２】
（付記１）
タッチパネルの表面の所定規則で並ぶ撥水性が異なる２つの領域の内の、撥水性の低い領域および前記撥水性の低い領域との境界を含む撥水性の高い領域に存在する電極群から検出値を取得する取得部と、
前記電極群から取得した検出値の分布状態と前記撥水性の低い領域との関係に基づいて前記タッチパネルの表面に対する接触操作の有効または無効を判定する処理部と、
を備える電子機器。
（付記２）
前記処理部は、前記電極群から取得した検出値の分布状態が所定条件を満たす場合には、前記タッチパネルの前記撥水性の低い領域を含む所定範囲を無効範囲に設定するとともに、前記無効範囲に設定された電極群を除く他の電極群の検出値から得られる物体の接触位置を上位プログラムに通知する、付記１に記載の電子機器。
（付記３）
前記所定範囲は、前記撥水性の低い領域および前記撥水性の低い領域との境界近傍の前記撥水性の高い領域に存在する電極群の配置位置である、付記２に記載の電子機器。
（付記４）
前記所定条件は、前記電極群から取得した検出値の分布状態と前記撥水性の低い領域への水滴付着の際に前記電極群から検出される検出値の基準分布データとの合致の度合いが所定閾値以上である、付記２または３に記載の電子機器。
（付記５）
前記撥水性の低い領域は前記タッチパネルの表面に均等サイズで複数に設けられ、該複数に設けられた前記撥水性の低い領域は千鳥配置される、付記１から付記４の何れか一の付記に記載の電子機器。
（付記６）
前記撥水性の低い領域は円形状の外縁を有する、付記１から付記５の何れか一の付記に記載の電子機器。
（付記７）
前記タッチパネルは静電容量方式のセンサを有する、付記１から付記６の何れか一の付記に記載の電子機器。
【０１６３】
（付記８）
タッチパネルを備えるコンピュータに、
前記タッチパネルの表面の所定規則で並ぶ撥水性が異なる２つの領域の内の、撥水性の低い領域および前記撥水性の低い領域との境界を含む撥水性の高い領域に存在する電極群から検出値を取得する取得ステップと、
前記電極群から取得した検出値の分布状態と前記撥水性の低い領域との関係に基づいて前記タッチパネルの表面に対する接触操作の有効または無効を判定する処理ステップと、
を実行させるための接触座標処理プログラム。
（付記９）
前記処理ステップは、前記電極群から取得した検出値の分布状態が所定条件を満たす場合には、前記タッチパネルの前記撥水性の低い領域を含む所定範囲を無効範囲に設定するとともに、前記無効範囲に設定された電極群を除く他の電極群の検出値から得られる物体の接触位置を上位プログラムに通知する、付記８に記載の接触座標処理プログラム。
（付記１０）
前記所定範囲は、前記撥水性の低い領域および前記撥水性の低い領域との境界近傍の前記撥水性の高い領域に存在する電極群の配置位置である、付記９に記載の接触座標処理プログラム。
（付記１１）
前記所定条件は、前記電極群から取得した検出値の分布状態と前記撥水性の低い領域への水滴付着の際に前記電極群から検出される検出値の基準分布データとの合致の度合いが所定閾値以上である、付記９または１０に記載の接触座標処理プログラム。
（付記１２）
前記撥水性の低い領域は前記タッチパネルの表面に均等サイズで複数に設けられ、該複数に設けられた前記撥水性の低い領域は千鳥配置される、付記８から付記１１の何れか一の付記に記載の接触座標処理プログラム。
（付記１３）
前記撥水性の低い領域は円形状の外縁を有する、付記８から付記１２の何れか一の付記に記載の接触座標処理プログラム。
（付記１４）
前記タッチパネルは静電容量方式のセンサを有する、付記８から付記１３の何れか一の付記に記載の接触座標処理プログラム。
【符号の説明】
【０１６４】
１０  情報処理装置（電子機器）
１１  ＣＰＵ
１２  主記憶部
１３  補助記憶部
１４  入力部
１４ａ  タッチセンサ
１４ｂ  加速度センサ
１５  出力部
１５ａ  ＬＣＤ
１６  通信部
１０１  無効範囲処理部
２０１  座標管理ＤＢ
２０２  基準分布ＤＢ
【図１】
2017021516.tif 000003
【図２】
2017021516.tif 000004
【図３Ａ】
2017021516.tif 000005
【図３Ｂ】
2017021516.tif 000006
【図３Ｃ】
2017021516.tif 000007
【図４】
2017021516.tif 000008
【図５Ａ】
2017021516.tif 000009
【図５Ｂ】
2017021516.tif 000010
【図６Ａ】
2017021516.tif 000011
【図６Ｂ】
2017021516.tif 000012
【図７Ａ】
2017021516.tif 000013
【図７Ｂ】
2017021516.tif 000014
【図８】
2017021516.tif 000015
【図９】
2017021516.tif 000016